(57)【特許請求の範囲】
【請求項１】
開閉体を移動可能に案内する固定部材の開側および閉側のそれぞれに設けられた被捕捉部材と、
前記開閉体を支持し、前記固定部材に転動可能に組み付けられて前記開閉体を前記固定部材に沿って移動させるための１対のガイドローラ部を有し、閉側の前記被捕捉部材を捕捉して前記開閉体を閉側へ移動させる第１キャッチ部、および、開側の前記被捕捉部材を捕捉して前記開閉体を開側へ移動させる第２キャッチ部を有する捕捉引込機構本体部を備えた捕捉引込機構と、
を備えた開閉体緩衝装置であって、
前記ガイドローラ部は、前記捕捉引込機構本体部の両端にそれぞれ取り付けられた１対のガイドローラ部であり、
前記捕捉引込機構本体部は、前記１対のガイドローラ部のうち、一方のガイドローラ部を取り外した状態で、他方のガイドローラ部を中心に回動するように構成し、前記他方のガイドローラ部が取り付けられている一端に、弾性をもつ係合爪を有し、
前記他方のガイドローラ部は、前記係合爪の弾性によって、前記係合爪を抜き取り可能に嵌合して固定する係合孔を形成した取付カバーを有し、
前記開閉体緩衝装置は、前記捕捉引込機構本体部を、前記一方のガイドローラ部を取り外した状態で、前記他方のガイドローラ部を中心に回動させ、前記捕捉引込機構本体部に、前記他方のガイドローラ部に対する押し込み力または引き抜き力を作用させることにより、前記固定部材に前記１対のガイドローラ部が取り付けられた状態で、前記捕捉引込機構本体部を前記１対のガイドローラ部に対して着脱可能に構成したことを特徴とする開閉体緩衝装置。
【請求項２】
一方の前記ガイドローラ部と前記捕捉引込機構本体部とが、前記開閉体の移動方向と異なる方向から挿入される着脱可能な取り付けねじによって取り付けられていることを特徴とする請求項１に記載の開閉体緩衝装置。
【請求項３】
開閉体を移動可能に案内する固定部材の開側および閉側のそれぞれに設けられた被捕捉部材と、
前記開閉体を支持し、前記固定部材に転動可能に組み付けられて前記開閉体を前記固定部材に沿って移動させるための１対のガイドローラ部を有し、閉側の前記被捕捉部材を捕捉して前記開閉体を閉側へ移動させる第１キャッチ部、および、開側の前記被捕捉部材を捕捉して前記開閉体を開側へ移動させる第２キャッチ部を有する捕捉引込機構本体部を備えた捕捉引込機構と、
を備えた開閉体緩衝装置の着脱方法であって、
該開閉体緩衝装置は、
前記ガイドローラ部は、前記捕捉引込機構本体部の両端にそれぞれ取り付けられた１対のガイドローラ部であり、
前記捕捉引込機構本体部は、前記１対のガイドローラ部のうち、一方のガイドローラ部を取り外した状態で、他方のガイドローラ部を中心に回動するように構成し、前記他方のガイドローラ部が取り付けられている一端に、弾性をもつ係合爪を有し、
前記他方のガイドローラ部は、前記係合爪の弾性によって、前記係合爪を抜き取り可能に嵌合して固定する係合孔を形成した取付カバーを有し、
前記開閉体緩衝装置は、前記捕捉引込機構本体部を、前記一方のガイドローラ部を取り外した状態で、前記他方のガイドローラ部を中心に回動させ、前記捕捉引込機構本体部に、前記他方のガイドローラ部に対する押し込み力または引き抜き力を作用させることにより、前記固定部材に前記１対のガイドローラ部が取り付けられた状態で、前記捕捉引込機構本体部を前記１対のガイドローラ部に対して着脱可能に構成したことを特徴とする開閉体緩衝装置の着脱方法。
【請求項４】
前記捕捉引込機構は、一方の前記ガイドローラ部と前記捕捉引込機構本体部とが、前記開閉体の移動方向と異なる方向から挿入される着脱可能な取り付けねじによって取り付けられ、他方のガイドローラ部と前記捕捉引込機構本体部とが、前記開閉体の移動方向に沿って抜き差し可能に嵌合して取り付けられ、
前記固定部材に前記ガイドローラ部を介して前記捕捉引込機構が取り付けられている状態で、一方の前記ガイドローラ部から前記捕捉引込機構本体部を固定する前記取り付けねじを取り外し、
他方の前記ガイドローラ部を中心に前記捕捉引込機構本体部を回動させ、
前記捕捉引込機構本体部を引き抜きやすい位置で、前記捕捉引込機構本体部を他方の前記ガイドローラ部から抜き取る
ことを特徴とする請求項３に記載の開閉体緩衝装置の着脱方法。
【発明の詳細な説明】
【技術分野】
【０００１】
本発明は、引き戸や抽斗などの開閉体を、開き際に強制的に緩やかに開かせる一方、閉じ際に強制的に緩やかに閉じることができる開閉体緩衝装置およびその開閉体緩衝装置の着脱方法に関する。
【背景技術】
【０００２】
従来の開閉体緩衝装置は、例えば、建屋側の引戸レールに取り付けられ、この引戸レールの開側および閉側の両方にそれぞれ配設された２つの被捕捉部材と、引き戸側に取り付けられ、被捕捉部材を捕捉して引き戸を開方向または閉方向へ引き込むための捕捉引込機構とを備えている。この捕捉引込機構は、引戸レールの長手方向であって、引き戸の開閉方向に延在しており、その開側および閉側のそれぞれの端部には、回動軸を中心に回動可能に軸支された捕捉部材（フック）が設けられている。
【０００３】
これらの開側および閉側の捕捉部材は、捕捉引込機構の内部で開閉方向にそれぞれスライド移動できるようになっている。また、開側および閉側の捕捉部材は、ばねによって開閉方向に連結されており、このばねのばね力によって互いに引き合うようになっている。さらに、開側および閉側の捕捉部材は、互いに引き合うばね力を緩衝するためのダンパーによって開閉方向に連結されている。
【０００４】
閉側の捕捉部材は、閉側の被捕捉部材を捕捉するためのものである。この捕捉前の状態（捕捉が解除された状態）では、閉側の捕捉部材は、捕捉引込機構の本体部（ケーシング）にロック（係止）されており、開閉方向へ移動できないようになっている。このロックされた状態から、引き戸が所定の位置まで閉じられると、閉側の被捕捉部材と閉側の捕捉部材とが当接して、捕捉部材が回動する。このとき、捕捉部材と本体部とのロックが解除されて捕捉部材が開閉方向へ移動できるようになると共に、閉側の捕捉部材が閉側の被捕捉部材を捕捉するようになる。
【０００５】
一方、開側の捕捉部材は、開側の被捕捉部材を捕捉するためのものである。この開側の捕捉部材および被捕捉部材も閉側と同様の構成を有しており、引き戸が所定の位置まで開かれると、開側の捕捉部材が回動し、ロックが解除されて捕捉部材が開閉方向へ移動できるようになると共に、開側の捕捉部材が開側の被捕捉部材を捕捉するようになる。
【０００６】
このような構成を有する開閉体緩衝装置では、引き戸が閉側および開側のいずれの所定位置まで達しておらず、開側および閉側の捕捉部材がいずれの被捕捉部材も捕捉していない状態では、どちらの捕捉部材も捕捉引込機構の本体部にロックされていて、どちらの捕捉部材も開閉方向へ移動できないようになっている。
【０００７】
一方、引き戸が閉側の所定の位置まで閉じられて閉側の捕捉部材が被捕捉部材を捕捉したときには、閉側の捕捉部材のロックは解除されるが、開側の捕捉部材は捕捉引込機構の本体部にロックされているので、ばねの付勢力によって、捕捉された閉側の被捕捉部材が開側へ引き寄せられるようになる。これにより、引き戸は、その閉まり際に強制的に閉方向へと移動するようになる。
【０００８】
逆に、引き戸が開側の所定の位置まで開かれて開側の捕捉部材が被捕捉部材を捕捉したときには、開側の捕捉部材のロックは解除されるが、閉側の捕捉部材は捕捉引込機構の本体部にロックされているので、ばねの付勢力によって、捕捉された開側の被捕捉部材が閉側へ引き寄せられるようになる。これにより、引き戸は、その開き際に強制的に開方向へと移動するようになる。
【０００９】
また、引き戸の開き際または閉じ際には、上述したダンパーがばねの付勢力を緩衝するので、引き戸は緩やかに開閉するようになる（例えば、特許文献１参照）。
【先行技術文献】
【特許文献】
【００１０】
【特許文献１】特開２００９−１２７２９３号公報
【発明の概要】
【発明が解決しようとする課題】
【００１１】
上述した開閉体緩衝装置では、捕捉引込機構は、ガイドレールの長手方向に沿ってその端部から挿入する態様で取り付けられる。そのため、捕捉引込機構をガイドレールから取り外してメンテナンスをするには、ガイドレールを開口部の上縁部から取り外し、このガイドレールの長手方向の端部からガイドローラを抜き取って、捕捉引込機構を取り外さなければならなかった。そのため、ガイドレールの取り外しなどに手間がかかり、メンテナンス作業に時間がかかっていた。特に、閉側および開側の両方で開閉体を引き込むようにしている装置では、片側にのみ引き込む装置と比較してメンテナンス箇所が２倍となり、メンテナンス作業の頻度が多くなるため、その作業を短縮することが望まれている。
【００１２】
本発明は、上述した事情を鑑みてなされたものであり、その目的は、ガイドレールを開口部の縁部から取り外すことなく、捕捉引込機構をメンテナンスすることができる開閉体緩衝装置および開閉体緩衝装置の着脱方法を提供するためのものである。
【課題を解決するための手段】
【００１３】
上述課題を解決するため、本発明に係る開閉体緩衝装置は、開閉体を移動可能に案内する固定部材の開側および閉側のそれぞれに設けられた被捕捉部材と、前記開閉体を支持し、前記固定部材に転動可能に組み付けられて前記開閉体を前記固定部材に沿って移動させるための１対のガイドローラ部を有し、閉側の前記被捕捉部材を捕捉して前記開閉体を閉側へ移動させる第１キャッチ部、および、開側の前記被捕捉部材を捕捉して前記開閉体を開側へ移動させる第２キャッチ部を有する捕捉引込機構本体部を備えた捕捉引込機構と、を備えた開閉体緩衝装置であって、前記ガイドローラ部は、前記捕捉引込機構本体部の両端にそれぞれ取り付けられた１対のガイドローラ部であり、前記捕捉引込機構本体部は、前記１対のガイドローラ部のうち、一方のガイドローラ部を取り外した状態で、他方のガイドローラ部を中心に回動するように構成し、前記他方のガイドローラ部が取り付けられている一端に、弾性をもつ係合爪を有し、前記他方のガイドローラ部は、前記係合爪の弾性によって、前記係合爪を抜き取り可能に嵌合して固定する係合孔を形成した取付カバーを有し、前記開閉体緩衝装置は、前記捕捉引込機構本体部を、前記一方のガイドローラ部を取り外した状態で、前記他方のガイドローラ部を中心に回動させ、前記捕捉引込機構本体部に、前記他方のガイドローラ部に対する押し込み力または引き抜き力を作用させることにより、前記固定部材に前記１対のガイドローラ部が取り付けられた状態で、前記捕捉引込機構本体部を前記１対のガイドローラ部に対して着脱可能に構成したことを特徴とする。
【００１４】
また、一方の前記ガイドローラ部と前記捕捉引込機構本体部とが、前記開閉体の移動方向と異なる方向から挿入される着脱可能な取り付けねじによって取り付けられていてもよい。
【００１８】
他方、本発明に係る開閉体緩衝装置の着脱方法は、開閉体を移動可能に案内する固定部材の開側および閉側のそれぞれに設けられた被捕捉部材と、前記開閉体を支持し、前記固定部材に転動可能に組み付けられて前記開閉体を前記固定部材に沿って移動させるための１対のガイドローラ部を有し、閉側の前記被捕捉部材を捕捉して前記開閉体を閉側へ移動させる第１キャッチ部、および、開側の前記被捕捉部材を捕捉して前記開閉体を開側へ移動させる第２キャッチ部を有する捕捉引込機構本体部を備えた捕捉引込機構と、を備えた開閉体緩衝装置の着脱方法であって、該開閉体緩衝装置は、前記ガイドローラ部は、前記捕捉引込機構本体部の両端にそれぞれ取り付けられた１対のガイドローラ部であり、前記捕捉引込機構本体部は、前記１対のガイドローラ部のうち、一方のガイドローラ部を取り外した状態で、他方のガイドローラ部を中心に回動するように構成し、前記他方のガイドローラ部が取り付けられている一端に、弾性をもつ係合爪を有し、前記他方のガイドローラ部は、前記係合爪の弾性によって、前記係合爪を抜き取り可能に嵌合して固定する係合孔を形成した取付カバーを有し、前記開閉体緩衝装置は、前記捕捉引込機構本体部を、前記一方のガイドローラ部を取り外した状態で、前記他方のガイドローラ部を中心に回動させ、前記捕捉引込機構本体部に、前記他方のガイドローラ部に対する押し込み力または引き抜き力を作用させることにより、前記固定部材に前記１対のガイドローラ部が取り付けられた状態で、前記捕捉引込機構本体部を前記１対のガイドローラ部に対して着脱可能に構成したことを特徴とする。
【００１９】
また、前記捕捉引込機構は、一方の前記ガイドローラ部と前記捕捉引込機構本体部とが、前記開閉体の移動方向と異なる方向から挿入される着脱可能な取り付けねじによって取り付けられ、他方のガイドローラ部と前記捕捉引込機構本体部とが、前記開閉体の移動方向に沿って抜き差し可能に嵌合して取り付けられ、前記固定部材に前記ガイドローラ部を介して前記捕捉引込機構が取り付けられている状態で、一方の前記ガイドローラ部から前記捕捉引込機構本体部を固定する前記取り付けねじを取り外し、他方の前記ガイドローラ部を中心に前記捕捉引込機構本体部を回動させ、前記捕捉引込機構本体部を引き抜きやすい位置で、前記捕捉引込機構本体部を他方の前記ガイドローラ部から抜き取るようにしてもよい。
【発明の効果】
【００２０】
本発明に係る開閉体緩衝装置では、前記ガイドローラを前記捕捉引込機構本体部の前後にそれぞれ配設し、前記固定部材に前記ガイドローラが組み付けられた状態で、前記捕捉引込機構本体部を前記ガイドローラから着脱可能に構成しているので、建屋の開口部の上縁部または下縁部に取り付けられた固定部材を、その開口部の縁部から取り外すことなく、かつ、そのガイドレールに載置する態様で取り付けられているガイドローラを固定部材側に残したまま、メンテナンスが必要な捕捉引込機構本体部のみを固定部材から単体で取り外すことができる。そのため、従来のように、捕捉引込機構の全体をガイドレールから取り外す必要がなく、捕捉引込機構のメンテナンスを容易かつ短時間で行うことができる。特に、閉側および開側の両方で開閉体を引き込むようにしている本装置では、片側にのみ引き込む装置と比較してメンテナンスの頻度が多くなるため、有用である。
【００２１】
また、本発明に係る開閉体緩衝装置の着脱方法では、前記固定部材に前記ガイドローラを介して前記捕捉引込機構が取り付けられている状態で、前側および後側の前記ガイドローラを前記固定部材に残したまま、前記捕捉引込機構本体部を取り外すようにしているので、上記と同様に、開口部の上縁部または下縁部に取り付けられたガイドレールをその開口部の縁部から取り外すことなく、かつ、その固定部材に載置する態様で取り付けられているガイドローラを固定部材側に残したまま、捕捉引込機構本体部のみをガイドレールから容易に着脱することができる。そのため、従来と比較して、捕捉引込機構のメンテナンスを容易かつ短時間で行うことができる。特に、閉側および開側の両方で開閉体を引き込むようにしている本装置では、片側にのみ引き込む装置と比較してメンテナンスの頻度が多くなるため、有用である。
【図面の簡単な説明】
【００２２】
【図１】本発明に係る開閉体緩衝装置を備えた引き戸上部の正面図であって、引き戸が中間に位置する状態を示したものである。
【図２】図１の状態から引き戸を閉じた状態を示す正面図である。
【図３】図１の状態から引き戸を開いた状態を示す正面図である。
【図４】捕捉引込機構を単体で示したものであり、引き戸が中間に位置する状態（図１の状態）に対応する斜視図である。
【図５】捕捉引込機構を単体で示したものであり、引き戸を閉じた状態（図２の状態）に対応する斜視図である。
【図６】捕捉引込機構を単体で示したものであり、引き戸を開いた状態（図３の状態）に対応する斜視図である。
【図７】捕捉引込機構を上側から見た分解斜視図である。
【図８】捕捉引込機構を下側から見た分解斜視図である。
【図９】第１キャッチ部を分解した状態の拡大図であって、（ａ）は上斜め右側から見た斜視図、（ｂ）は左斜め下側から見た斜視図である。
【図１０】第２キャッチ部を後斜め下側から見た分解斜視図である。
【図１１】吊り下げ部と引込部との取付部分を拡大して示す分解斜視図である。
【図１２】引込部と後側ガイドローラ部との取付部分を拡大して示す分解斜視図である。
【図１３】（ａ）は捕捉引込機構の平面図、（ｂ）は捕捉引込機構の正面図である。
【図１４】図１３（ａ）のＣ−Ｃ断面図である。
【図１５】第２キャッチ部の動作を説明する図であって、（ａ）は後側部分の拡大正面図、（ｂ）はＸ−Ｘ断面図である。
【図１６】第２キャッチ部の動作を説明する図であって、（ａ）は後側部分の拡大正面図、（ｂ）はＹ−Ｙ断面図である。
【図１７】第２キャッチ部の動作を説明する図であって、（ａ）は後側部分の拡大正面図、（ｂ）はＺ−Ｚ断面図である。
【図１８】第２キャッチ部の断面図であって、（ａ）は、捕捉部材が被捕捉部材を捕捉する前の状態、（ｂ）は、捕捉後の状態を示す図である。
【図１９】ガイドレールに捕捉引込機構が取り付けられた状態を前方斜め下側から見た斜視図である。
【図２０】図１９の状態から、取付ねじを下方向に取り外した状態を示す斜視図である。
【図２１】図２０の状態から、引込部の前側を引き抜いて下側に回転させた状態を示す斜視図である。
【図２２】図２１の状態から、引込部を下側に引き抜いた状態を示す斜視図である。
【発明を実施するための最良の形態】
【００２３】
以下、本発明の実施の形態に係る開閉体緩衝装置１０について、図面を用いて詳細に説明する。なお、本実施の形態では、開閉体緩衝装置１０を引き戸装置に使用したものについて説明する。
【００２４】
図１は、本発明に係る開閉体緩衝装置１０を備えた引き戸２の上部の正面図であって、引き戸２が開閉方向（紙面左右方向）における中間に位置する状態を示したものである。また、図２は、図１の状態から引き戸２を閉じた状態を示す正面図、図３は図１の状態から引き戸２を開いた状態を示す正面図である。また、図４は、捕捉引込機構２０を単体で示したものであり、引き戸２が中間に位置する状態（図１の状態）に対応する斜視図である。また、図５は、捕捉引込機構２０であって、引き戸２を閉じた状態（図２の状態）に対応する斜視図、図６は、引き戸２を開いた状態（図３の状態）に対応する斜視図である。
【００２５】
なお、以下の説明で使用する「前側（前方向）」とは、図１の左側（戸閉側）をいうものとし、「後側（後方向）」とは、図１の右側（戸開側）をいうものとする。また、「上下、左右」の方向は、図１の開閉体緩衝装置１０を前側から見たときの方向をいうものとする。
さらに、本明細書中で使用する「閉じ際」とは、開閉体緩衝装置１０が閉側の被捕捉部材１１を捕捉する位置から引き戸が完全に閉じた位置まで移動するまでの間をいう。その逆に、「開き際」とは、開閉体緩衝装置１０が開側の被捕捉部材１１を捕捉する位置から引き戸が完全に開いた状態になるまでの間をいうものとする。
【００２６】
図１〜図３に示す引き戸装置は、建物の開口部の上縁部に沿って前後方向（開閉方向）に延在するガイドレール１と、このガイドレール１に沿って前後方向へ移動することで開口部を開閉する引き戸２（開閉体）と、引き戸２の開き際または閉じ際に制動しつつ、この引き戸２を開位置または閉位置に誘導する開閉体緩衝装置１０とで構成されている。
【００２７】
開閉体緩衝装置１０は、ガイドレール１の前側に配設された閉側の被捕捉部材１１と、ガイドレール１の後側に配設された開側の被捕捉部材１１と、このガイドレール１上を前後方向に沿って走行可能な捕捉引込機構２０とで構成されている。
【００２８】
２つの被捕捉部材１１は、図１に示すように、下側に向けて突出する突部１１ａを有する凸形状に形成されている。これらの被捕捉部材１１は、捕捉引込機構２０の構造に合わせて、前側および後側の所定の位置（引き戸２を開閉方向に誘導する位置）にそれぞれ取り付けられている。
【００２９】
捕捉引込機構２０は、下側が開口する断面コ字形状のガイドレール１の内方に収容されており、ガイドレール１の前後方向に沿って移動可能に取り付けられている。より詳細には、捕捉引込機構２０には、その前側部と後側部とのそれぞれにガイドローラ２１（図１〜図３において、前側に４個、後側に２個）が設けられており、このガイドローラ２１がガイドレール１の転動面１ａ上を転動することによって、捕捉引込機構２０がガイドレール１の前後方向に自由に移動できるようになっている。
【００３０】
また、捕捉引込機構２０の前側部分には、詳細は後述する吊り下げ部３００が設けられている。この吊り下げ部３００には、引き戸２の上端角部（図１の紙面左斜め上の角部）が取り付けられており、吊り戸２の前端部分を吊り下げる態様で支持している。これにより、引き戸２を開閉方向（前後方向）に移動させると、捕捉引込機構２０のガイドローラ２１がガイドレール１上を転動し、引き戸２が前後方向にスムーズに開閉することになる。
【００３１】
なお、捕捉引込機構２０ではないが、引き戸２の右側の上端角部にも吊り下げ部５が取り付けられている。この吊り下げ部５は、吊り戸２の後端部分を吊り下げる態様で支持しており、引き戸２は、ガイドレール１の転動面１ａを転動可能なガイドローラ２１によって、前後方向にスムーズに開閉するようになる。
【００３２】
この捕捉引込機構２０には、図１〜図３および図４〜図６に示すように、前側に位置する第１キャッチ部１００と、後側に位置する第２キャッチ部１５０とが設けられている。この第１キャッチ部１００は、捕捉引込機構２０の内部で前後方向にスライド移動できるようになっており、閉じ際の所定の位置で前側の被捕捉部材１１の突部１１ａを捕捉する。また、第２キャッチ部１５０も捕捉引込機構２０の内部で前後方向へスライド移動できるようになっており、開き際の所定の位置で後側の被捕捉部材１１の突部１１ａを捕捉する（捕捉動作についての詳細は後述する）。
【００３３】
捕捉引込機構２０は、図１に示すように、引き戸２が開閉方向における中間に位置する状態では、第１キャッチ部１００および第２キャッチ部１５０が２つの被捕捉部材１１の間に位置する。この状態では、第１キャッチ部１００および第２キャッチ部１５０のいずれも被捕捉部材１１の突部１１ａを捕捉していない。すなわち、この状態では、捕捉引込機構２０は機能していない（待機状態）。この待機状態では、第１キャッチ部１００は、捕捉引込機構２０の本体側にロック（詳細は後述する）された状態で捕捉引込機構２０の前端側に位置し、第２キャッチ部１５０もロックされた状態で捕捉引込機構２０の後端側に位置する（図４参照）。
【００３４】
この待機状態から引き戸２を前側（図１の紙面左側。戸閉側）に移動させると、引き戸２の閉まり際に、上述したキャッチ部１００のロックが解除され、第１キャッチ部１００が前側に位置する被捕捉部材１１を捕捉する（戸閉状態。図２参照）。
この戸閉状態では、図５に示すように、第１キャッチ部１００が前側の被捕捉部材１１を捕捉しながら、ばね２２６（図７および図８参照）の力で中央部側（矢印Ａ方向）に移動する。すなわち、捕捉引込機構２０は、捕捉した被捕捉部材１１を引き戸２側（図１の右側。後側）に引き寄せるように作用する。これにより、引き戸２は、相対的に閉じる方向（図１の左側。前側）へと強制的に移動し、図２に示すように、引き戸２が前側の戸当り３と当接するまで完全に閉じられるようになる。なお、この戸閉状態では、第２キャッチ部１５０はロックされた状態で、待機状態と同じ位置に留まっている。
【００３５】
一方、待機状態から引き戸２を後側（図１の紙面右側。戸開側）に移動させると、引き戸２が完全に開くときの開き際に、上述したキャッチ部１５０のロックが解除され、第２キャッチ部１５０が後側に位置する捕捉引込部材１１を捕捉する（戸開状態。図３参照）。
この戸開状態では、図６に示すように、第２キャッチ部１５０が後側の被捕捉部材１１を捕捉しながら、ばね２２６の力で中央部側（矢印Ｂ方向）に移動する。すなわち、捕捉引込機構２０は、捕捉した被捕捉部材１１を引き戸２側（図１の左側。前側）に引き寄せるように作用する。これにより、引き戸２は、相対的に開く方向（図１の右側。後側）へと強制的に移動し、図３に示すように、引き戸２が後側の戸当たり４と当接するまで完全に開かれるようになる。なお、この戸開状態では、第１キャッチ部１００はロックされた状態で、待機状態と同じ位置に留まっている。
【００３６】
図７は、捕捉引込機構２０を上側から見た分解斜視図であり、図８は、捕捉引込機構２０を下側から見た分解斜視図である。さらに、図９は、第１キャッチ部１００を分解した状態の拡大図であって、（ａ）は上斜め右側から見た分解斜視図、（ｂ）は左斜め下側から見た分解斜視図である。また、図１０は、第２キャッチ部１５０を後斜め下側から見た分解斜視図である。
【００３７】
捕捉引込機構２０は、図４〜図６および図７、図８に示すように、前側の被捕捉部材１１の突部１１ａを捕捉する第１キャッチ部１００と、後側の被捕捉部材１１を捕捉する第２キャッチ部１５０と、これらのキャッチ部１００、１５０をガイドレール１の延在方向（前後方向）に沿って中央側へ引き込むための引込部２００とを備えている。
【００３８】
第１キャッチ部１００は、後述するリンクピン１４０の位置によって動作するリンク機構として構成されている。詳細には、第１キャッチ部１００は、図７、図８、特に図９（ａ）、図９（ｂ）に示すように、被捕捉部材１１の突部１１ａと所定位置で当接する当接ブロック１１０と、この突部１１ａを捕捉するために上下方向に移動する捕捉板１２０と、これらの当接ブロック１１０と捕捉板１２０とを内包してこれら全体で前後方向へ移動する第１内包ブロック１３０と、これらの当接ブロック１１０、捕捉板１２０、第１内包ブロック１３０がリンク機構として動作するためのリンクピン１４０とで構成されている。
【００３９】
当接ブロック１１０は、ほぼ直方体形状に形成された本体部１１１と、この本体部１１１の後方斜め上側に突出する態様で形成され、その上部が本体部１１１の上面よりも上側に突出している受け部１１２とで構成されている。
【００４０】
本体部１１１は、その内側が空洞になっており、この空洞は上下に貫通する態様で形成されている。この空洞内には、その下側の開口から、捕捉板１２０が挿入されて組み付けられる。また、本体部１１１には、前方斜め上側から後方斜め下側に向かって延びる傾斜穴１１１ａが形成されている。この傾斜穴１１１ａは、本体部１１１の左右方向に貫通する態様で形成されており、第１キャッチ部１００が組み付けられる際にリンクピン１４０が挿通されるようになる。
【００４１】
受け部１１２の前側の面には、図９（ａ）、図９（ｂ）に示すように、本体部１１１の上面から上方に向けて起立する当接面１１２ａが形成されている。この当接面１１２ａは、引き戸２が閉じ際の所定の位置まで到達したときに、前側の被捕捉部材１１の突部１１ａと当接して押圧されるようになる。
【００４２】
また、受け部１１２の後側の面には、図９（ｂ）に示すように、前後方向に窪んだ形状のばね受け溝１１２ｂが形成されている。このばね受け溝１１２ｂには、圧縮コイルばね１１３の一端部が支持される。
【００４３】
捕捉板１２０は、略矩形状に形成され、その上面から上側に向けて突出する捕捉爪１２１が形成されている。この捕捉爪１２１は、捕捉板１２０がリンク機構によって上方向に移動したときに、上述した受け部１１２とこの捕捉爪１２１とで被捕捉部材１１の突部１１ａを前後方向において捕捉するようになる。
【００４４】
この捕捉爪１２１の後面には、テーパ当接面１２１ａが形成されている。このテーパ当接面１２１ａは、テーパの下側から前方斜め上側に向かって傾斜する傾斜面である。このテーパ当接面１２１ａには、引き戸２を閉じた状態（図２参照）から開方向へ移動させるときに、被捕捉部材１１の突部１１ａが当接する。そして、突部１１ａが捕捉爪１２１をこのテーパ面と垂直な方向である前方斜め下側に向けて押し下げるようになる。これにより、突起１１ａを捕捉した状態から解除され、戸閉状態から待機状態に復帰するようになる。
【００４５】
また、捕捉板１２０には、捕捉爪１２１の前側に位置する補助爪１２２が形成されている。この補助爪１２２は、上述した捕捉爪１２１と受け部１１２とによって突部１１ａを捕捉できなかったときに、捕捉爪１２１とこの補助爪１２２との間で突部１１ａを捕捉する、いわば補助的に設けられたものである。
【００４６】
この補助爪１２２は、捕捉爪１２１と補助爪１２２とで被捕捉部材１１を捕捉した場合であっても、開閉体緩衝装置１０が引き戸２を閉止させることができるようになっている。より詳細には、補助爪１２２は、引き戸２を開くときであって被捕捉部材１１の突起１１ａによって前方に向けて押圧されたときに、補助爪１２２が下側に撓んで被捕捉部材１１を補助爪１２２の前側に逃がすようになっている。
【００４７】
さらに、捕捉板１２０には、捕捉爪１２１の下側に位置し、左右方向に貫通する取付穴１２３が形成されている。この取付穴１２３は、リンクピン１４０の外径と同じか少し大きな径の丸穴であり、この取付穴１２３には、詳細は後述するリンクピン１４０が挿通される。これにより、捕捉板１２０は、リンクピン１４０の移動に伴ってリンクピン１４０と一緒に移動するようになる。
【００４８】
第１内包ブロック１３０は図７、図８、特に図９（ａ）、図９（ｂ）に示すように、ほぼ直方体形状に形成された外郭部１３１と、この外郭部１３１の後端から後側に突出する支持部１３２と、外郭部１３１の左右の両側部からそれぞれ左右の外側に向けて突出する案内突部１３３、１３４とで構成されている。
【００４９】
外郭部１３１は、その内部が空洞になっている。この空洞は上下に貫通する態様で形成されており、この空洞内には、その上側の開口から、当接ブロック１１０が挿入されて組み付けられる。また、外郭部１３１には、正面から見て、上下方向に延在する誘導穴１３１ａが形成されている。この誘導穴１３１ａは、外郭部１３１の左右方向に貫通する態様で形成されており、第１キャッチ部１００が組み付けられる際に、当接ブロック１１０の傾斜穴１１１ａ、捕捉板１２０の取付穴１２３と一緒にリンクピン１４０が挿通されるようになる。
【００５０】
また、外郭部１３１の空洞内の後端部には、上下に起立する受け面１３１ｂが形成されている。この受け面１３１ｂには、第１内包ブロック１３０内に当接ブロック１１０が組み付けられた状態で、圧縮コイルばね１１３の他端部が支持される。
【００５１】
さらに、外郭部１３１の下側後部（受け面１３１ｂの下側）には、詳細は後述する引張ばねユニット２２５のばね受け２２７のくびれ部２２７ａを収容する、くびれ部収容溝１３１ｃが形成されている。このくびれ部収容溝１３１ｃは、ばね受け２２７が組み付けられた状態で、このばね受け２２７の左右方向および前後方向の位置を規制する。
【００５２】
支持部１３２には、その後端部に上下方向に延びる取付溝１３２ａが形成されている。この取付溝１３２ａには、詳細は後述するダンパーユニット２２１の出力軸２２１ａの先端部が挿入され、この出力軸２２１ａの左右方向の取付位置を規制している。
【００５３】
案内突部１３３、１３４は、前後方向（引き戸２の移動方向）に延在している。これらの案内突部１３３、１３４は、第１内包ブロック１３０が後述する引込部２００のガイド部２１０に組み込まれた状態で、詳細は後述するガイド部２１０の突条部２１８（図１７（ａ）、図１７（ｂ）参照）と段差部２６０とによって形成された溝条部２６１の内部に挿入され、この溝条部２６１に沿って前後方向へスライドする。これにより、第１キャッチ部１００が引込部２００に対して、前後方向に移動するようになる。
【００５４】
さらに、外郭部１３１には、前側および後側のそれぞれの両側に、スライド突起１３５、１３６が設けられている。これらのスライド突起１３５、１３６は、第１内包ブロック１３０が後述する引込部２００のガイド部２１０に組み込まれた状態で、ガイド部２１０の内側面２１０ａと接する。これにより、第１内包ブロック１３０のガイド部２１０内での左右方向の位置が規制される。また、第１内包ブロック１３０が前後方向に移動する際に、これらのスライド突起１３５、１３６がガイド部２１０の内側面２１０ａと摺動し、前後方向へスムーズにスライド移動できるようになる。
【００５５】
リンクピン１４０は、図９（ａ）、図９（ｂ）に示すように、略円柱形状に形成されている。このリンクピン１４０の長さは、第１内包ブロック１３０の幅方向の寸法よりも長く形成されている。すなわち、リンクピン１４０によって、当接ブロック１１０、捕捉板１２０、および第１内包ブロック１３０を一体に組み付けた状態で、第１内包ブロック１３０の幅方向の両側から、リンクピン１４０の端部１４０ａが突出する態様で組み付けられる。この突出する端部１４０ａは、第１内包ブロック１３０が後述する引込部２００のガイド部２１０に組み込まれた状態で、突条部２１８の上部に載せられて、前後方向にスライド移動するようになる。
【００５６】
一方、第２キャッチ部１５０は、図７、図８、特に図１０に示すように、被捕捉部材１１の突部１１ａと所定位置で当接する当接ブロック１１０と、この突部１１ａを捕捉するために上下方向に移動する捕捉板１２０と、これらの当接ブロック１１０と捕捉板１２０とを内包してこれら全体で前後方向へ移動する第２内包ブロック１６０と、これらの当接ブロック１１０、捕捉板１２０、第２内包ブロック１６０がリンク機構として動作するためのリンクピン１４０とで構成されている。
【００５７】
この第２キャッチ部１５０も、第１キャッチ部１００と同様に、リンクピン１４０の位置によって動作するリンク機構として構成されている。このリンク機構の動作は、第１キャッチ部１００と比較して、前後方向で逆の動作をする以外は第１キャッチ部１００と同じである。より簡単にいうと、第２キャッチ部１５０は、第１キャッチ部１００の第１内包ブロック１３０の替わりに第２内包ブロック１６０が使用されたものである。そのため、以下で記載する第２キャッチ部１５０の説明では、当接ブロック１１０、捕捉板１２０、およびリンクピン１４０の説明は省略し、第２内包ブロック１６０についてのみ詳細に説明する。
【００５８】
第２内包ブロック１６０の外郭部１６１は、図７、図８および図１０に示すように、その後側部分の内部が空洞になっている。この空洞は上下に貫通する態様で形成されており、この空洞内には、その上側の開口から、当接ブロック１１０が挿入されて組み付けられる。また、外郭部１６１には、正面から見て、上下方向に延在する誘導穴１６１ａが形成されている。この誘導穴１６１ａは、外郭部１６１の左右方向に貫通する態様で形成されており、第２キャッチ部１５０が組み付けられる際に、当接ブロック１１０の傾斜穴１１１ａ、捕捉板１２０の取付穴１２３と一緒にリンクピン１４０が挿通されるようになる。
【００５９】
また、外郭部１６１の空洞内の後端部には、上下に起立する受け面１６１ｂが形成されている。この受け面１６１ｂには、第２内包ブロック１６０内に当接ブロック１１０が組み付けられた状態で、圧縮コイルばね１１３の他端部が支持される。
【００６０】
さらに、外郭部１６１の下側後部（受け面１６１ｂの下側）には、詳細は後述する引張ばねユニット２２５のばね受け２２７のくびれ部２２７ａを収容する、くびれ部収容溝１６１ｃが形成されている。このくびれ部収容溝１６１ｃは、ばね受け２２７が組み付けられた状態で、このばね受け２２７の左右方向および前後方向の位置を規制する。
【００６１】
また、外郭部１６１には、くびれ部収容溝１６１ｃよりも前側に、引張ばねユニット収容溝１６１ｄが形成されている。この引張ばねユニット収容溝１６１ｄには、図７および図８に示す引張ばねユニット２２５が収容される。
【００６２】
一方、外郭部１６１の中央上部であって引張ばねユニット収容溝１６１ｄの上側には、ダンパー収容溝１６７が形成されている。このダンパー収容溝１６７は、前後方向に延在し、その断面がダンパーユニット２２１のユニット本体２２１ｂの略円柱状の形状に合わせて半円弧状に形成されている。これにより、ダンパー収容溝１６７にユニット本体２２１ｂが収容された状態で、ダンパーの左右方向の位置が規制される。
【００６３】
このダンパー収容溝１６７の後側には、ユニット本体２２１ｂの後端部を支持するための後端支持部１６８が形成されている。この後端支持部１６８は、略円筒形状に形成されており、この内部にユニット本体２２１ｂの後端部を前側から後側へ挿入することで、ユニット本体２２１ｂが取り付けられるようになっている。
【００６４】
また、外郭部１６１の前側上部には、ダンパーユニット２２１の出力軸２２１ａを支持する支持部１６２が設けられている。この支持部１６２には、上側が開口したＵ字形状の取付溝１６２ａが形成されている。この取付溝１６２ａにダンパーユニット２２１の出力軸２２１ａの基端部が上側から挿入されて、この出力軸２２１ａの左右方向の位置が規制されるようになる。
【００６５】
さらに、外郭部１６１の前側および後側の側部には、案内突部１６３、１６４が設けられている。これらの案内突部１６３、１６４は、前後方向（引き戸２の移動方向）に延在している。これらの案内突部１６３、１６４は、詳細は後述するガイド部２１０の突条部２１８（図１７（ａ）、図１７（ｂ）参照）と段差部２６０とによって形成された溝条部２６１の内部に挿入され、この溝条部２６１に沿って前後方向へスライドする。これにより、第２キャッチ部１５０が引込部２００に対して、前後方向に移動するようになる。
【００６６】
さらに、外郭部１６１には、前側および後側のそれぞれの両側に、スライド突起１６５、１６６が設けられている。これらのスライド突起１６５、１６６は、第２内包ブロック１６０が後述する引込部２００のガイド部２１０に組み込まれた状態で、ガイド部２１０の内側面２１０ａと接する。これにより、第１内包ブロック１３０のガイド部２１０内での左右方向の位置が規制される。また、第２内包ブロック１６０が前後方向に移動する際に、これらのスライド突起１６５、１６６がガイド部２１０の内側面２１０ａと摺動し、前後方向へスムーズにスライド移動できるようになる。
【００６７】
上述したこれらの第１キャッチ部１００および第２キャッチ部１５０は、図７および図８に示すように、ダンパーユニット２２１および引張ばねユニット２２５によって前後方向に連結されている。
【００６８】
ダンパーユニット２２１は、出力軸２２１ａと、この出力軸２２１ａを軸方向に進退自在に保持している略円柱状のユニット本体２２１ｂとを有している。ユニット本体２２１ｂ内には、出力軸２２１ａの縮長方向（前後方向）への移動に制動力を作用させるオイルなどの抵抗流体（図示省略）が収容されている。
【００６９】
出力軸２２１ａの先端部は、第１キャッチ部１００の支持部１３２の取付溝１３２ａに取り付けられる。また、ユニット本体２２１ｂは、第２内包ブロック１６０の後端支持部１６８に挿入された後にダンパーユニット収容部１６７に組み付けられ、上側から取付カバー１７０を取り付けることで固定される。
【００７０】
一方、引張ばねユニット２２５は、第２内包ブロック１６０の引張ばねユニット収容溝１６１ｄ内に収容される。この引張ばねユニット２２５は、図７および図８に示すように、引張ばね２２６と、この引張ばね２２６の両端部に設けられた２つのばね受け２２７とで構成されている。
【００７１】
２つのばね受け２２７は略棒状に形成されており、その一端の先端部分に、径方向に溝状に形成された、くびれ部２２７ａを有している。
【００７２】
前側に位置するばね受け２２７のくびれ部２２７ａは、第１内包ブロック１３０のくびれ部収容溝１３１ｃに挿入され、前後方向および左右方向の位置が規制される。また、前側に位置するばね受け２２７は、くびれ部収容溝１３１ｃから、後側に位置する第２内包ブロック１６０の引張ばねユニット収容溝１６１ｄまで延びるように配置されている。
【００７３】
後側に位置するばね受け２２７のくびれ部２２７ａは、第２内包ブロック１６０のくびれ部収容溝１６１ｃに挿入され、前後方向および左右方向の位置が規制される。また、後側に位置するばね受け２２７は、くびれ部収容溝１６１ｃから、引張ばねユニット収容溝１６１ｄに沿って前後方向に延びるように配置される。
【００７４】
これらの２つのばね受け２２７は、引張ばね２２６によって前後方向に連結されている。この引張ばね２２６はコイルばねであり、引張ばねユニット２２５では、２つのばね受け２２７を中央側に付勢する引っ張りばねとして使用されている。
【００７５】
これにより、引張ばねユニット２２５が第１キャッチ部１００および第２キャッチ部１５０を捕捉引込機構２０の中央部側へと付勢する一方、ダンパーユニット２２１が引張ばね２２６のばね力に抗して第１キャッチ部１００および第２キャッチ部１５０の前後方向への移動を緩衝するようになる。
【００７６】
引込部２００は、図７および図８に示すように、第１キャッチ部１００および第２キャッチ部１５０が内側に組み付けられるガイド部２１０と、ガイド部２１０と吊り下げ部３００（詳細は後述する）とを連結するための前側取付ブロック２４０と、ガイド部２１０と後側ガイドローラ部４００とを連結するための後側取付ブロック２５０（詳細は後述する）とで構成されている。
【００７７】
ガイド部２１０は、図７および図８に示すように、前後方向に延在しており、この前後方向と直交する面で切断した断面形状は、上側が開口するＵ字形状に形成されている。より詳細には、このガイド部２１０の断面形状は、特に図１７（ｂ）に示すように、水平な底面部２１０Ｈと、この底面部２１０Ｈの両端からそれぞれ上方に延びる側部２１０Ｓとで形成されており、この側部２１０Ｓには、一端外方向に折り曲げられてからさらに上方に折り曲げられて形成された段差部２６０がそれぞれ形成されている。また、この段差部２６０の上側には、図７、図８および図１６，図１７に示すように、側部２１０Ｓの内側面２１０ａから内側に向かって突出する突条部２１８が設けられている。この段差部２６０および突条部２１８は、ガイド部の前後方向の全長に亘って連続して形成されている。また、これらの段差部２６０、突条部２１８および内側面２１０ａによって、内側方向に開口する略コ字形状の溝条部２６１が形成されている。
【００７８】
突条部２１８の上には、リンクピン１４０の端部１４０ａが載せられて、前後方向に摺動移動する（図１６（ｂ）参照）。また、溝条部２６１には、第１内包ブロック１３０の案内突部１３３、１３４および第２内包ブロック１６０の案内突部１６３、１６４が入り込み、前後方向に摺動移動する。すなわち、上述した引張ばねユニット２２５およびダンパーユニット２２１によって前後に連結された第１キャッチ部１００および第２キャッチ部１５０は、ガイド部２１０の前側または後側端部からガイド部２１０に挿入され、リンクピン１４０の端部１４０ａおよびそれぞれの案内突部１３３、１３４、１６３、１６４が、上述した所定の位置を摺動移動するように組み付けられる。
【００７９】
また、ガイド部２１０には、前側および後側の側部に、２つの突条部切除用穴２１９がそれぞれ設けられている。この突条部切除用穴２１９は、上下方向に延びる長穴であり、ガイド部２１０の左右の両側部を貫通する態様で形成されている。
【００８０】
この突条部切除用穴２１９は、突条部２１８の延在方向の一部を切り欠くためのものであり、ボルト等が挿通されるものではない。より詳細には、突条部２１８の一部を切り欠く加工をするためには、上側の開口部から切削工具を挿入して切り欠くことが考えられるが、加工がしにくい。そのため、加工がし易い方法として、突条部切除用穴２１９を横方向から明けることで、突条部２１８の一部を切り欠くようにしたものである。
【００８１】
この突条部切除穴２１９を形成することによって、この突条部２１８には、リンクピン１４０の端部１４０ａが、この突条部２１８の上側から下方向へ移動可能な切り欠き部２６２が形成されることになる。
【００８２】
この突条部切除用穴２１９（切り欠き部２６２）の前後方向における寸法は、上述したリンクピン１４０の直径と同等かそれよりも若干大きくなるように形成されている。また、前側の突条部切除用穴２１９の前後方向の位置は、前側の被捕捉部材１１の突部１１ａと第１キャッチ部１００の当接ブロック１１０の当接面１１２ａとが当接（または当接解除）するときに、リンクピン１４０がある位置に空けられている。すなわち、第１キャッチ部１００のリンク機構が動作する位置であって、リンクピン１４０が上下に移動する位置に合わせて、前側の突条部切除用穴２１９（切り欠き部２６２）が形成されている。
【００８３】
同様に、後側の突条部切除用穴２１９（切り欠き部２６２）の前後方向の位置も、後側の被捕捉部材１１の突部１１ａと、第２キャッチ部１５０の当接ブロック１１０の当接面１１２ａとが当接（または当接解除）するときに、リンクピン１４０がある位置に空けられている。すなわち、第２キャッチ部１５０のリンク機構が動作する位置であって、リンクピン１４０が上下に移動する位置に合わせて、後側の突条部切除用穴２１９（切り欠き部２６２）が形成されている。
【００８４】
さらに、ガイド部２１０には、図７および図８に示すように、突条部切除用穴２１９よりもさらに前側および後側に、２つの取付穴２１６が設けられている。この取付穴２１６は、ガイド部２１０の左右の両側部を貫通する態様で形成されている。この前側の取付穴２１６には、取付ピン２１５を介して前側取付ブロック２４０が取り付けられる。また、後側の取付穴２１６には、取付ピン２１５を介して後側取付ブロック２５０が取り付けられる。
【００８５】
前側取付ブロック２４０は、図７、図８、および図１１に示すように、逆Ｌ字形状に形成されている。この前側取付ブロック２４０には、幅方向に貫通する左右貫通穴２４２が形成されている。この左右貫通穴２４２には、前側の取付穴２１６に幅方向から挿通された取付ピン２１５が挿入される。これにより、前側取付ブロック２４０がガイド部２１０の前端部に取り付けられる。
また、前側取付ブロック２４０の上側には、前後方向に延びる水平部２４３が設けられており、この水平部２４３には、上下方向に貫通する上下貫通穴２４１が形成されている。
【００８６】
後側取付ブロック２５０は、図７、図８、および図１２に示すように、ブロック状の本体の幅方向に貫通する左右貫通穴２５１が形成されている。この左右貫通穴２５１には、後側の取付穴２１６に幅方向から挿通された取付ピン２１５が挿入される。これにより、後側取付ブロック２５０がガイド部２１０の後端部に取り付けられる。
【００８７】
また、後側取付ブロック２５０には、その後面から後方向に突出する２つの係合爪２３０が設けられている。この係合爪２３０は、後側取付ブロック２５０の左右の両側にそれぞれ配置されている。また、この係合爪２３０は、左右方向に弾性によって内側に向かって撓むようになっている。
【００８８】
また、ガイド部２１０の前側の底面には、図７、図８、図１１に示すように、上下に貫通する取付穴２１２が形成されている。
さらに、ガイド部２１０の前側および後側の底面には、図８に示すように、底部角穴２１７がそれぞれ形成されている。この底部角穴２１７からは、上述した第１キャッチ部１００および第２キャッチ部１５０がガイド部２１０に組み付けられた状態で、それぞれの捕捉板１２０が下側に向かって突出するようになっている（図１３（ｂ）、図１４、図１５参照）。より詳細には、捕捉板１２０が上側に移動しているときには、底部角穴２１７から突出しておらず（図１５および図１６参照）、捕捉板１２０が下側に移動しているときには、底部角穴２１７から突出する。これにより、引込部２００を下側から見て、第１キャッチ部１００および第２キャッチ部１５０の動作状態を目視で確認できるようになる。
【００８９】
また、捕捉引込機構２０の前側部には、図７、図８、図１１に示すように、引き戸２を吊り下げるための吊り下げ部３００が設けられている。また、捕捉引込機構２０の後側部には、図７、図８、図１２に示すように、後側ガイドローラ部４００が設けられている。
【００９０】
吊り下げ部３００は、図７、図８、特に図１１に示すように、ガイドローラ２１を備えた前側ガイドローラ部３１０と、この前側ガイドローラ部３１０の下側に取り付けられ、引き戸２を吊り下げる態様で固定すると共にその取付位置を微調整可能な固着ユニット３２０とを備えている。
【００９１】
前側ガイドローラ部３１０には、回転軸３１２を介して４つのガイドローラ２１が回転自在に取り付けられている。また、前側ガイドローラ部３１０には、図１１に示すように、下側後端部から後方向に向けて突出する下側突出部３１１が一体に形成されている。この下側突出部３１１には、上下方向に貫通する取付穴３１１ａが形成されている。
【００９２】
この下側突出部３１１は、図１１に示すように、引込部２００の前側であって、上述した前側取付ブロック２４０の水平部２４３の下側に挿入される。そして、引込部２００の下側から挿入される取り付けねじ２１３を、ガイド部２１０の取付穴２１２、下側突出部３１１の取付穴３１１ａ、前側取付ブロック２４０の上下貫通穴２４１の順に挿通させる。これにより、吊り下げ部３００は、引込部２００の前端部に着脱自在に取り付けられるようになる。
【００９３】
また、固着ユニット３２０は、その前端に表出している調整部３２１にドライバーを差し込んで回転させることにより、この固着ユニット３２０に取り付けられた引き戸２の左右方向の位置を微調整できるようになっている。
【００９４】
後側ガイドローラ部４００は、図７および図８、特に図１２に示すように、取付カバー４０１と、後側の２つのガイドローラ２１とによって構成されている。
【００９５】
取付カバー４０１は、前側部分が開口しており、この開口から後側取付ブロック２５０の係合爪２３０が挿入される。この取付カバー４０１の左右の両側部には、係合爪２３０と係合する係合穴４０１ｂがそれぞれ形成されている。これにより、係合爪２３０は、ねじ等の締結部材を使用せずに自由に係合穴４０１ｂに着脱できるようになる。
また、２つのガイドローラ２１は、取付カバー４０１を左右に貫通する回転軸４０２に回転自在に軸支されている。
【００９６】
次に、本発明の実施の形態に係る開閉体緩衝装置の作用、および、リンクピン１４０によって機能するリンク機構の動作について説明する。図１３（ａ）は捕捉引込機構の平面図、図１３（ｂ）は捕捉引込機構の正面図、図１４は、図１２（ａ）のＣ−Ｃ断面図である。また、図１５は、第２キャッチ部の動作を説明する図であって、（ａ）は後側部分の拡大正面図、（ｂ）はＸ−Ｘ断面図である。さらに、図１６は、第２キャッチ部の動作を説明する図であって、（ａ）は後側部分の拡大正面図、（ｂ）はＹ−Ｙ断面図である。また、図１７は、第２キャッチ部の動作を説明する図であって、（ａ）は後側部分の拡大正面図、（ｂ）はＺ−Ｚ断面図である。また、図１８は、第２キャッチ部の断面図であって、（ａ）は、捕捉部材が被捕捉部材を捕捉する前の状態、（ｂ）は、捕捉後の状態を示す図である。
【００９７】
ここで、第１キャッチ部１００および第２キャッチ部１５０の作用、およびリンク機構の動作は、前後方向の向きが逆なだけでその動作は同じである。ゆえに、以下の説明では、第２キャッチ部１５０でのリンク機構の動作について説明し、第１キャッチ部１００のリンク機構についての説明は省略する。
【００９８】
第２キャッチ部１５０が被捕捉部材１１を捕捉していない待機状態（図１、図４、図１３（ａ）、図１３（ｂ）、図１４参照）では、リンク機構を動作させるリンクピン１４０は、前後方向において突条部２１８を切り欠いた突条部切除用穴２１９の位置にある。また、リンクピン１４０の端部１４０ａは、切り欠き部２６２を通って突条部２１８の上面よりも下側に位置する。このとき、第２キャッチ部１５０の捕捉板１２０は、図１５（ａ）、図１５（ｂ）に示すように、下側に下がった状態であり、捕捉板１２０の下部がガイド部２１０の底部角穴２１７から下側に突出している。
【００９９】
また、この状態では、図１５（ａ）および図１８（ａ）に示すように、リンクピン１４０の端部１４０ａは、突条部切除用穴２１９によって形成された切り欠き部２６２の切り欠き面と前後方向で当接している。これにより、第２キャッチ部１５０は、前後方向へ自由に移動できないようにロックされた状態になる。
【０１００】
この待機状態から引き戸２を戸開側（後側。図１８（ａ）のＨ方向）に移動させると、図１６（ａ）および図１８（ｂ）に示すように、後側の被捕捉部材１１の突部１１ａが、第２キャッチ部１５０の当接ブロック１１０の当接面１１２ａと当接し、当接ブロック１１０を前方向に押圧する。この押圧力Ｅは、引き戸２を開こうとする力と同じであり、勢いよく開こうとしたときには大きな力が作用する。
【０１０１】
この押圧力Ｅが作用すると、第２キャッチ部１５０の当接ブロック１１０は、前方向にスライド移動する。このとき、当接ブロック１１０は、圧縮コイルばね１１３を圧縮するので、押圧力Ｅが緩衝されるようになる。これにより、まず、引き戸２を開くときの力がそのまま第２キャッチ部１５０に伝わらないようになり、より小さな力が作用するようになる。
【０１０２】
当接ブロック１１０が前方向にスライド移動すると、図１５（ａ）に示す当接ブロック１１０の傾斜穴１１１ａは、図１６（ａ）に示すように前方向に移動するので、リンクピン１４０は、傾斜穴１１１ａおよび第２内包ブロック１６０の誘導穴１６１ａに沿って、上側Ｆ方向に押し上げられる。これにより、捕捉板１２０は、リンクピン１４０と共に上側へと移動する。この状態では、後側の被捕捉部材１１の突部１１ａは、図１６（ａ）および図１８（ｂ）に示すように、上述した当接ブロック１１０の受け部１１２と、捕捉板１２０の捕捉爪１２１とで前後を挟まれる態様で捕捉されるようになる。
【０１０３】
また、リンクピン１４０は上側Ｆ方向へ移動すると、図１６（ｂ）に示すように、突条部２１８の上面よりも上側に位置するので、突条部２１８の切り欠き部２６２の切り欠き面でロックされていた状態が解除される。これにより、第２キャッチ部１５０のロックが解除され、リンクピン１４０の端部１４０ａが突条部２１８の上面を摺動しながら前後方向へ自由にスライド移動できるようになる。
【０１０４】
さらに、捕捉板１２０の上方への移動速度は、傾斜穴１１１ａの長さを基準にすると、誘導穴１３１ａの長さが短いため、当接ブロック１１０の移動速度よりも遅くすることができる。すなわち、捕捉板１２０は、引き戸２を開閉させる速度（当接ブロック１１０の移動速度）よりも遅い速度で上方向へ移動するようになる。
【０１０５】
ロックが解除された状態では、図１７（ａ）に示すように、第２キャッチ部１５０は、引張ばねユニット２２５の引張ばね力によって、第１キャッチ部１００側（前側。Ｇ方向）へ付勢される。より詳細には、第２キャッチ部１５０は、後側の被捕捉部材１１の固定位置で突部１１ａを捕捉すると、その動作が完了し、その後には引張ばねユニット２２５およびダンパーユニット２２１が動作する。
【０１０６】
第２キャッチ部１５０は、後側の被捕捉部材１１を捕捉しながら、Ｇ方向へと移動する。言い換えると、第２キャッチ部１５０は、被捕捉部材１１を捕捉したまま被捕捉部材１１の取付位置に留まり、第２キャッチ部１５０以外の捕捉引込機構２０の全体が、相対的に後側へと移動する。すなわち、この引張ばねユニット２２５の引張ばね力は、引き戸２を強制的に開く方向へと付勢する。これにより、引き戸２は、図３に示すように、引き戸２が完全に開いた状態まで導かれるようになる。
また、上述した移動状態では、引張ばねユニット２２５のばね力によって、引き戸２が勢いよく戸当り４に衝突しないように、ダンパーユニット２２１でばね力を緩衝している。
【０１０７】
逆に、引き戸２が完全に開いた状態から閉じる方向へ移動させるとき（図３の状態から引き戸を閉じる方向へ移動させるとき）には、上述した動作と逆の動作になる。すなわち、引き戸２を前側に移動させると、後側の被捕捉部材１１の突部１１ａは、捕捉板１２０の捕捉爪１２１と当接し、第２キャッチ部１５０が引張ばねユニット２２５の引張ばね２２６を引っ張る方向へと移動する。このとき、突部１１ａは、捕捉爪１２１のテーパ当接面１２１ａを押圧するので、第２キャッチ部１５０の前後方向への移動中に捕捉板１２０には常に下側に押し下げる力が作用する。この押し下げる力は、リンクピン１４０が突条部２１８の上にあるときは、突条部２１８が受けるが、リンクピン１４０が突条部切除用穴２１９の位置に到達したとき、リンクピン１４０は突条部２１８の切り欠き部２６２を通って下側へと押し下げられる。
【０１０８】
また、上述した下側に押し下げる力が作用しているとき、リンクピン１４０の端部１４０ａが突条部２１８の上に押し付けられているので、第２キャッチ部１５０の移動中に振動が発生し難い。そのため、第２キャッチ部１５０の移動によって第１キャッチ部１００に伝達される振動を小さく抑えることができ、第１キャッチ部１００のロックが外れる等の誤動作が発生し難くなる。
【０１０９】
これにより、捕捉板１２０は突条部切除穴２１９（切り欠き部２６２）の位置で下側へと移動して、捕捉状態が解除される。また、リンクピン１４０の端部１４０ａは、切り欠き部２６２の切り欠き面に当接することによって前後方向にロックされ、第２キャッチ部１５０が前後方向へ自由に移動できないようになる。
また、当接ブロック１１０は、圧縮コイルばね１１３の付勢力によって、後方へと移動する力が促進（補助）されることになる。これにより、捕捉解除時のリンク機構の動きがよりスムーズに行われる。
【０１１０】
次に、本発明の実施の形態に係る開閉体緩衝装置の捕捉引込機構２０の着脱方法について、図１９〜図２２を用いて詳細に説明する。
なお、以下の説明において、第１キャッチ部１００、第２キャッチ部１５０および引込部２００を組み付けたもの（捕捉引込機構２０から、吊り下げ部３００および後側ガイドローラ部４００を除いた部分）を、捕捉引込機構本体部Ｔという。
【０１１１】
図１９は、ガイドレールに捕捉引込機構２０が取り付けられた状態を前方斜め下側から見た斜視図である。また、図２０は、図１９の状態から、取付ねじ２１３を下方向に取り外した状態を示す斜視図、図２１は、図２０の状態から、捕捉引込機構本体部Ｔの前側を吊り下げ部３００から引き抜いて下側に回転させた状態を示す斜視図、図２２は、図２１の状態から、捕捉引込機構本体部Ｔを後側ガイドローラ部４００から下側に引き抜いた状態を示す斜視図である。
【０１１２】
捕捉引込機構２０の前側および後側のガイドローラ２１は、図１１に示すように、ガイドレール１の内側底面１ａに載置されるように取り付けられている。ガイドローラ２１は、この内側底面１ａの長手方向（ガイドレール１の長手方向）に沿って転動することにより、捕捉引込機構２０がガイドレール１上を自由に移動する。
【０１１３】
この状態から、前側のガイドローラ２１が取り付けられた吊り下げ部３００と、後側のガイドローラ２１が取り付けられた後側ガイドローラ部４００とをガイドレール１内に残したまま、捕捉引込機構本体部Ｔをガイドレール１内から取り外す。
【０１１４】
まず、図１９に示すように、引き戸２を吊り下げ部３００から取り外し、引き戸２が取り付けられていた開口部側から捕捉引込機構２０の底部の全体が見えるようにする。次に、図２０に示すように、引込部２００と吊り下げ部３００とを組み付けている取り付けねじ２１３を、捕捉引込機構２０の下側からＪ方向へ取り外す。この作業は、引き戸２が取り付けられる開口部側から上方に向かって工具を使用することができるので、容易に行うことができる。
【０１１５】
なお、取り付けねじ２１３を上下方向（引き戸２の移動方向と異なる方向）に挿入しているのは、下側から着脱し易くするためではあるが、引き戸２の開閉時の勢いによる衝撃を受けるため、および、引張ばねユニット２２５の引張ばね２２６の付勢力に抗するためでもある。すなわち、引き戸２の移動方向と同じ方向に嵌合などによって固定する方法では、引き戸２の開閉時の勢いによって、および、引張ばね２２６によって引き戸２が開閉方向へ誘導される際に、これらの力によって嵌合が外れるおそれがあるためである。一方、引き戸２を支持していない後側ガイドローラ部４００には、引き戸２の開閉時の衝撃、および、引張ばね２２６の付勢力が作用しないため、引き戸２の移動方向と同じ方向に嵌合などによって固定しても構わない。
【０１１６】
次に、図２１に示すように、ガイドローラ２１を備えた吊り下げ部３００をそのままガイドレール１上に残し、捕捉引込機構本体部Ｔと後側ガイドローラ部４００を後側（Ｋ方向）に一緒に移動させる。これにより、取付ブロック２４０と前側ガイドローラ部３１０の挟持部３１１との嵌合（挟持）が前後方向において完全に外れ、吊り下げ部３００と捕捉引込機構本体部Ｔの前側部分とが取り外される。
【０１１７】
この状態から、図２１に示すように、捕捉引込機構本体部Ｔの前側部分を後側ガイドローラ部４００の回転軸４０２を中心にＬ方向に回動させ、前側部分を下側に下げる。これは、後側ガイドローラ部４００のガイドローラ２１が前後方向において１列で構成してあるため、回動軸４０２を中心にして回動することができる。
【０１１８】
そして、図２２に示すように、捕捉引込機構本体部Ｔを下側Ｍ方向へ引き抜くように取り外す。このとき、左右２つの係合爪２３０は、この係合爪２３０を弾性によって内側に撓ませることによって係合穴４０１ｂとの係合を解除させることができる。これにより、捕捉引込機構本体部Ｔの後端部を後側ガイドローラ部４００から引き抜く（嵌合解除）することができる。
【０１１９】
また、当然のことながら、捕捉引込機構本体部Ｔは、上述した取り外し手順と逆の手順、すなわち、捕捉引込機構本体部Ｔの後側部を後側ガイドローラ部４００へ押し込んで嵌合させるとともに、捕捉引込機構本体部Ｔの前側部を取り付けねじ２１３で固定することによって、容易に取り付けることができる。
これにより、ガイドレール１には、吊り下げ部３００および後側ガイドローラ部４００を残したまま、捕捉引込機構本体部Ｔを取り外し、および、取り付けすることができる。
【０１２０】
本発明の実施の形態に係る開閉体緩衝装置によれば、ガイドローラ２１を捕捉引込機構本体部Ｔの前後にそれぞれ配設し、ガイドレール１にガイドローラ２１が組み付けられた状態で、捕捉引込機構本体部Ｔをガイドローラ２１から着脱可能に構成しているので、建屋の開口部の上縁部または下縁部に取り付けられたガイドレール１を、その開口部の縁部から取り外すことなく、かつ、そのガイドレール１に載置する態様で取り付けられているガイドローラ２１を固定部材側に残したまま、メンテナンスが必要な捕捉引込機構本体部Ｔのみをガイドレール1から単体で取り外すことができる。そのため、従来のように、捕捉引込機構２０の全体をガイドレール１から取り外す必要がなく、捕捉引込機構２０のメンテナンスを容易かつ短時間で行うことができる。特に、閉側および開側の両方で引き戸２を引き込むようにしている本装置では、片側にのみ引き込む装置と比較してメンテナンスの頻度が多くなるため、有用である。
【０１２１】
また、前側のガイドローラ２１を備えた前側ガイドローラ部３１０と捕捉引込機構本体部Ｔとが、引き戸２の移動方向と異なる方向から挿入される着脱可能な取り付けねじ２１３によって取り付けられているので、引き戸２の開閉時の勢い（衝撃）を受け、かつ、捕捉引込機構本体部Ｔ内部に設けられ引き戸２を開状態或いは閉状態へ強制的に移動させる引張ばね２２６の付勢力に抗し、前側ガイドローラ部３１０側を強固に固定することができる。
【０１２２】
さらに、後側のガイドローラ２１を備えた後側ガイドローラ部４００と捕捉引込機構本体部Ｔとが、引き戸２の移動方向に沿って抜き差し可能に取り付けられているので、引き戸２の開閉時の衝撃、および、引張ばね２２６の付勢力が作用しない後側ガイドローラ部４００の取付を、引き戸２の移動方向へ容易に引き抜ける構造にすることができる。
【０１２３】
また、ガイドローラ２１を備えた後側ガイドローラ部４００と捕捉引込機構本体部Ｔとが、嵌合によって取り付けられているので、着脱を容易にすることができる。そのため、より簡単に引き抜ける構造にすることができる。
【０１２４】
さらにまた、前側または後側のガイドローラ２１のいずれか一方を取り外した状態で、捕捉引込機構本体部Ｔが他方のガイドローラ２１を中心に回動するように構成しているので、捕捉引込機構本体部Ｔを引き抜き易い位置まで自重で回動することができ、メンテナンス作業をより容易に行うことができるようになる。
【０１２５】
他方、本発明の実施の形態に係る開閉体緩衝装置の着脱方法によれば、ガイドレール１にガイドローラ２１を介して捕捉引込機構２０が取り付けられている状態で、前側および後側のガイドローラ２１をガイドレール１に残したまま、捕捉引込機構本体部Ｔを取り外すようにしているので、建屋の開口部の上縁部または下縁部に取り付けられたガイドレール１を、その開口部の縁部から取り外すことなく、かつ、そのガイドレール１に載置する態様で取り付けられているガイドローラ２１を固定部材側に残したまま、メンテナンスが必要な捕捉引込機構本体部Ｔのみをガイドレール1から単体で取り外すことができる。そのため、従来のように、捕捉引込機構２０の全体をガイドレール１から取り外す必要がなく、捕捉引込機構２０のメンテナンスを容易かつ短時間で行うことができる。特に、閉側および開側の両方で引き戸２を引き込むようにしている本装置では、片側にのみ引き込む装置と比較してメンテナンスの頻度が多くなるため、有用である。
【０１２６】
また、捕捉引込機構２０は、前側または後側のいずれか一方のガイドローラ２１と捕捉引込機構本体部Ｔとが、引き戸２の移動方向と異なる方向から挿入される着脱可能な取り付けねじ２１３によって取り付けられ、他方のガイドローラ２１と捕捉引込機構本体部Ｔとが、引き戸２の移動方向に沿って抜き差し可能に嵌合して取り付けられ、ガイドレール１にガイドローラ２１を介して捕捉引込機構２０が取り付けられている状態で、捕捉引込機構本体部Ｔの前側または後側のいずれか一方のガイドローラ２１から捕捉引込機構本体部Ｔを固定する取り付けねじ２１３を取り外し、他方のガイドローラ２１を中心に捕捉引込機構本体部Ｔを回動させ、捕捉引込機構本体部Ｔを引き抜きやすい位置で、捕捉引込機構本体部Ｔを他方のガイドローラ２１から抜き取るようにしているので、捕捉引込機構本体部Ｔを引き抜き易い位置まで自重で回動して着脱できるので、作業性がよい。そのため、メンテナンス作業をより容易に行うことができるようになる。
【０１２７】
以上、本発明の実施の形態に係る開閉体緩衝装置および開閉体緩衝装置の着脱方法について述べたが、本発明は既述の実施形態に限定されるものではなく、本発明の技術思想に基づいて各種の変形および変更が可能である。
例えば、本実施の形態では、引き戸２について記載しているが、これに限定されるものではない。例えば、抽斗や観音開きの戸などを開閉する場合であっても、戸を強制的に閉じる方向に付勢する装置であれば、本発明を利用することができる。
【０１２８】
また、本実施の形態では、ガイドローラ１および捕捉引込機構２０を引き戸２で閉止する開口部の上縁部に設けているが、上縁部の代わりに、開口部の下縁部に設けてあっても本発明を利用することができる。この場合であっても、ガイドレールに取り付けられた捕捉引込機構２０の本体部Ｔのみを、ガイドレール１からガイドローラ２１を取り外すことなく容易に取り外すことができる。これにより、捕捉引込機構本体部Ｔのメンテナンス性を向上させることができる。
【０１２９】
さらに、本実施の形態では、前側ガイドローラ部３１０側を取り付けねじ２１３で固定し、後側ガイドローラ部４００を嵌合によって引き抜き可能に構成しているが、逆の構造であってもよい。すなわち、本実施例では、前側ガイドローラ部３１０側に引き戸２を支持するための吊り下げ部３００が設けられており、引き戸２を閉止状態へ強制的に付勢するばね力が前側ガイドレール部３１０にも作用するために、引き戸２の移動方向とは異なる方向に挿入される取り付けねじ２１０を前側ガイドローラ部３１０に設ける構成にしているが、吊り下げ部３００を後側ガイドローラ部４００に設ける場合には、逆の構造にする必要がある。このように、吊り下げ部３００を設ける位置によって、適宜、取付構造を前後で逆にすることができる。
【符号の説明】
【０１３０】
１  ガイドレール（固定部材）
１ａ  転動面
２  引き戸（開閉体）
３、４  戸当り
５  吊り下げ部
１０  開閉体緩衝装置
１１  被捕捉部材
１１ａ  突部
２０  捕捉引込機構
２１  ガイドローラ
１００  第１キャッチ部
１１０  当接ブロック
１１１  本体部
１１１ａ  傾斜穴
１１２  受け部
１１２ａ  当接面
１１３  圧縮コイルばね（第２の弾性体）
１２０  捕捉板（捕捉部材）
１２１  捕捉爪
１２１ａ  テーパ当接面
１２２  補助爪
１３０  第１内包ブロック
１３１  外郭部
１３１ａ  誘導穴
１３１ｂ  受け面
１３１ｃ  くびれ部収容溝
１３２  支持部
１３２ａ  取付溝
１３３、１３４  案内突部
１３５、１３６  スライド突起
１４０  リンクピン
１４０ａ  端部
１５０  第２キャッチ部
１６０  第２内方ブロック
１６１  外郭部
１６１ａ  誘導穴
１６１ｂ  受け面
１６１ｃ  くびれ部収容溝
１６１ｄ  引張ばねユニット収容溝
１６２  支持部
１６２ａ  取付溝
１６３、１６４  案内突部
１６５、１６６  スライド突起
１６７  ダンパー収容溝
１６８  後端支持部
１７０  取付カバー
２００  引込部
２１０  ガイド部
２１０ａ  内側面
２１０Ｈ  底面部
２１０Ｓ  側部
２１１  ガイド穴
２１１ａ  前後長穴
２１１ｂ  上下長穴
２１２  取付穴
２１３  取り付けねじ
２１４  延出部
２１５  取付ピン
２１６  取付穴
２１７  底部角穴
２１８  突条部
２１９  突条部切除用穴
２２１  ダンパーユニット
２２１ａ  出力軸
２２１ｂ  ユニット本体
２２５  引張ばねユニット
２２６  引張ばね（第１の弾性体）
２２７  ばね受け
２２７ａ  くびれ部
２３０  係合爪
２４０  前側取付ブロック
２４１  上下貫通穴
２４２  左右貫通穴
２４３  水平部
２５０  後側取付ブロック
２５１  左右貫通穴
２６０  段差部
２６１  溝条部
２６２  切り欠き部
３００  吊り下げ部
３１０  前側ガイドローラ部
３１１  下側突出部
３１１ａ  取付穴
３１２  回転軸
３２０  固着ユニット
３２１  調整部
４００  後側ガイドローラ部
４０１  取付カバー
４０１ｂ  係合穴
４０２  回転軸
Ｔ  捕捉引込機構本体部
【図１】
0005889666.tif 000002
【図２】
0005889666.tif 000003
【図３】
0005889666.tif 000004
【図４】
0005889666.tif 000005
【図５】
0005889666.tif 000006
【図６】
0005889666.tif 000007
【図７】
0005889666.tif 000008
【図８】
0005889666.tif 000009
【図９】
0005889666.tif 000010
【図１０】
0005889666.tif 000011
【図１１】
0005889666.tif 000012
【図１２】
0005889666.tif 000013
【図１３】
0005889666.tif 000014
【図１４】
0005889666.tif 000015
【図１５】
0005889666.tif 000016
【図１６】
0005889666.tif 000017
【図１７】
0005889666.tif 000018
【図１８】
0005889666.tif 000019
【図１９】
0005889666.tif 000020
【図２０】
0005889666.tif 000021
【図２１】
0005889666.tif 000022
【図２２】
0005889666.tif 000023